(57)【要約】【課題】保護回路基板及びバイメタル等の安定装置を電池本体に安定的に、かつ、比較的簡単な操作で結合させることができて、さらに、安全装置を含む電池部品部と電池本体との機械的結合部を分離させることができ、保護回路等の安全装置を分離して再使用することができる二次電池を提供する。【解決手段】負極、セパレータ及び正極を含む電極組立体と、前記電極組立体及び電解液を受容れる缶と、前記缶の開口部を封止するキャップ組立体とを含んでなる電池本体１００の外側に安全装置２１，２３が電気的に結合してなる二次電池の中で、安全装置２１，２３は電池部品部２０に含まれて電池本体１００と結合し、電池部品部２０と電池本体１００との間の結合面には電池部品部２０と電池本体１００とを機械的に結合させる結合手段２５，２７，５０が各々形成される。【選択図】図３
2005203366.tif 000002
【特許請求の範囲】
【請求項１】
負極、セパレータ、及び正極を含む電極組立体と、前記電極組立体及び電解液を受容れる缶と、前記缶の開口部を封止するキャップ組立体と、を含んでなる電池本体の外側に安全装置が電気的に結合されてなる二次電池において、
前記安全装置は、電池部品部に含まれて前記電池本体と結合され、
前記電池部品部と前記電池本体とが互いに結合する結合面には、前記電池部品部と前記電池本体とを機械的に結合させる結合手段が各々形成されることを特徴とする二次電池。
【請求項２】
前記電池部品部の前記結合面は、前記結合手段と別に前記安全装置の電気端子を有し、
前記電池本体の前記結合面は、前記結合手段と別に前記電池本体の正極端子及び負極端子を有し、
前記正極端子及び前記負極端子と、前記電気端子とは、溶接により互いに電気的に結合されることを特徴とする請求項１に記載の二次電池。
【請求項３】
前記電気端子には少なくとも一つの折曲部が形成されて、前記結合手段を締結するために、前記電池部品部が前記電池本体に接近する場合、前記折曲部が折曲されて前記電気端子が折り重なることを特徴とする請求項２に記載の二次電池。
【請求項４】
前記電池部品部の前記電気端子の周りには溝が形成されて、前記結合手段を締結するために、前記電池部品部が前記電池本体に接近する場合、折り重なる前記電気端子の一部を受容れることを特徴とする請求項３に記載の二次電池。
【請求項５】
前記電池部品部の前記結合手段の少なくとも一部は、前記安全装置の電気端子と接続されて、前記安全装置の電気端子を兼ねることを特徴とする請求項１に記載の二次電池。
【請求項６】
前記電池部品部の前記結合手段と前記電池本体の前記結合手段とは、一定以上の力を加えると分離できるよう脱着可能に締結されることを特徴とする請求項１に記載の二次電池。
【請求項７】
前記結合手段は、前記電池本体の特性によって形成位置、大きさ、及び個数のうちの少なくとも一つが異なる方法により、認識構造を有することを特徴とする請求項１に記載の二次電池。
【請求項８】
前記認識構造は、前記電気部品部と前記電池本体との前記結合面に、互いに対応する凹凸部を生成することによりなることを特徴とする請求項７に記載の二次電池。
【発明の詳細な説明】
【技術分野】
【０００１】
本発明は、二次電池に関し、より詳しくは、電極組立体、缶、及びキャップ組立体を備えてなる電池本体（ｂａｒｅ  ｃｅｌｌ）と、電池本体に保護回路基板を電気的に接続してなる二次電池に関する。
【背景技術】
【０００２】
二次電池は、再充電が可能であり、小型化及び大容量化が可能であるため、近来、活発に研究開発されている。近来に開発され使われている代表的なものには、ニッケル水素（Ｎｉ−ＭＨ）電池、リチウム（Ｌｉ）電池、及びリチウムイオン（Ｌｉ−ｉｏｎ）電池がある。
【０００３】
これらの二次電池において、電池本体の大部分は正極、負極、及びセパレータからなる電極組立体を、通常、アルミニウム、または、アルミニウム合金からなる缶に収納して、缶をキャップ組立体で封止した後、缶の内部に電解液を注入し封止することにより形成される。缶は鉄材で形成することもできる。しかし、アルミニウムまたはアルミニウム合金で形成すると、アルミニウムの軽いという属性により電池の軽量化がなされ、さらには、高電圧下で長時間使用しても腐食されない等の有利な点がある。
【０００４】
ところで、電池はエネルギー源として多くのエネルギーを放出する可能性を有している。二次電池の場合、エネルギーが充電された状態では、二次電池自体が高いエネルギーを蓄積しており、充電過程では、他のエネルギー源からエネルギーが供給されて蓄積することになる。このような過程や状態において、内部短絡等の異常が二次電池に発生する場合、二次電池内に蓄積されたエネルギーが短時間に放出されることにより、発火、爆発等の安全問題を引き起こすことがある。
【０００５】
最近、盛んに使用されるリチウム系二次電池は、リチウム自体が高い活性を有するので、電池の異常発生時における発火や爆発等の危険性が高い。リチウムイオン電池の場合は、金属状態のリチウムではなく、イオン状態のリチウムのみが存在するので、金属リチウムを使用する電池に比べて安全性が向上する。しかし、相変らず電池に使われる負極や非水性電解液等の材料は、可燃性を有する等の理由により電池の異常発生時において発火や爆発等の危険性が高い。
【０００６】
従って、二次電池には、充電された状態で、あるいは、充電する過程で電池自体の異常による発火や爆発等を防止するために、様々な安全装置が備えられる。これらの安全装置は、通常、リードプレート（ｌｅａｄ  ｐｌａｔｅ）と言われる導体構造により電池本体の正極端子及び負極端子と連結される。これらの安全装置は、電池の高温上昇や過度な充放電等により電池の電圧が急上昇する等の場合に、電流を遮断して電池の破裂、発火等の危険を防止する。安全装置として電池本体に連結されるものには、異常電流や電圧を感知して電流の流れを遮断する保護回路、異常電流による過熱に対応して作動するＰＴＣ（ｐｏｓｉｔｉｖｅ  ｔｅｍｐｅｒａｔｕｒｅ  ｃｏｅｆｆｉｃｉｅｎｔ）素子、及びバイメタル等がある。
【０００７】
電池本体と安全装置とが結合された状態の二次電池は、別途のケースに収納されて完成された外観を備えた二次電池をなすことになる。または、電池本体と保護回路基板等の安全装置とは、電気的に互いに接続された状態で、それらの間隙が成形樹脂により充填されて相互固定されたり、あるいは、共に被覆されたりして完成された外観を備えた二次電池をなすことになる。
【０００８】
ところが、二次電池は製造業者別に、また、製品モデル別に、その製品に使われる要素の構成物質、形態、及び大きさ等が変わり、これらの様々な要因により、適正な安全装置の設計も変わることが通常的である。そして、通常、二次電池の製造業者は、電池本体と保護回路等とを結合させて、一体化したパッケージで二次電池を形成する。二次電池は、二次電池が装着される製品の一部を成すように、材質及び設計が決定される場合が多い。
【０００９】
このような状況では、二次電池は製品との関係で互換性を有することができないので、消費者が製品に使用する二次電池を任意に選択することは難しい。電池の作動条件、機能が同じ場合でも、製品に対する専用の設計製品でない他の二次電池を使用することができなかった。
【００１０】
このような問題を解決するために、二次電池も、一次電池のように電池の作動条件及び機能が同一ならば、いろいろな製品等のケース内部に装着されて使用できるように製造されるようになってきている。このような場合、二次電池は、電池本体と保護回路基板等の安全装置端子とを先に溶接等により連結し、それらの間の空間には成形樹脂を充填して、電池本体と保護回路とを物理的に結合したパック型二次電池となる場合が多い。
【００１１】
図１は、成形樹脂により結合する前段階にある従来のリチウムイオンパック型電池の一例に対する概略的分解斜視図であり、図２は成形樹脂により結合された状態の従来のリチウムイオンパック型電池を示す斜視図である。
【００１２】
図１及び図２を参照すると、パック型電池において、電池本体の電極端子１３０，１１１が形成された面に並んで、保護回路基板３０が配置される。そして、図２のように、電池本体１００と保護回路基板３０との間隙を成形樹脂で充填する。成形樹脂で充填する際、成形樹脂が保護回路基板３０の外側面まで覆うことができる。しかし、電池の外部入出力端子３１，３２は、外部に露出するようにする。
【００１３】
電池本体１００において、保護回路基板３０と対向する側面には、正極端子１１１及び負極端子１３０が形成されている。たとえば、正極端子１１１はアルミニウム、あるいは、アルミニウム合金からなるキャッププレート自体、または、キャッププレート上に結合したニッケル含有金属板からなる。負極端子１３０は、キャッププレート上に突起状に突出した端子であり、周りに介された絶縁体ガスケットにより、キャッププレート１１０と電気的に離隔されている。
【００１４】
保護回路基板３０は、樹脂からなるパネルに回路が形成されてなり、外側表面に外部入出力端子３１，３２等が形成されている。この保護回路基板３０は、電池本体１００の対向面（キャッププレート１１０）と同様の大きさ及び形態を有する。
【００１５】
保護回路基板３０において、外部入出力端子３１，３２が形成された面の裏側、即ち、内側面には回路部３５及び接続端子３６，３７が備えられる。回路部３５には、充放電時において、過充電、過放電から電池を保護するための保護回路等が形成されている。回路部３５と各々の外部入出力端子３１，３２とは、保護回路基板３０を通過する導電構造により電気的に接続されている。
【００１６】
電池本体１００と保護回路基板３０との間には、接続リード４１，４２及び絶縁プレート４３等が配置されている。接続リード４１，４２は、通常、ニッケルからなり、キャッププレート１１０及び保護回路基板３０の接続端子３６，３７との電気接続のために形成され、‘Ｌ’字型構造、あるいは、平面構造からなる。接続リード４１，４２と各接続端子３６，３７の接続のためには、抵抗スポット溶接が使われることができる。
【００１７】
本例では、保護回路基板３０と負極端子１３０との間にある接続リード４２にはブレーカー（ｂｒｅａｋｅｒ）等が別途形成された場合を表している。この場合、保護回路基板３０の回路部３５にはブレーカーを設ける必要はない。絶縁プレート４３は、負極端子１３０と接続する接続リード４２と、正極となるキャッププレート１１０との間を絶縁するために設けられる。
【００１８】
ところが、上述しているように、電池本体１００、保護回路基板３０、及びその他の電池附属部品を成形樹脂を用いてパック型電池に形成する際、パック型電池の状態において、保護回路基板３０等の電池付属部品を電池本体１００に固定結合させる成形樹脂部は、キャッププレート１１０や缶のように金属からなる電池本体１００と材質が異なり、接している面積も大きくないので、付着強度が弱いという問題がある。
【００１９】
付着強度を強くするためには、リードプレート等の接続構造を大きくする方法、あるいは、別途の補強構造を形成する方法が考えられる。より具体的には、たとえば、別途の補強構造をキャッププレートに溶接し、補強構造と電池本体との間には部分的に空間が形成され、成形樹脂がこの空間を充填しながら補強構造を囲むようにする方法が考えられる。しかし、このような補強構造を形成するためには別途の資材を必要とし、さらに、溶接加工を追加しなければならないという問題がある。
【００２０】
また、成形樹脂を電池本体と保護回路基板との間に注入して、凝固させる、いわゆるモールディングのためには、枠（あるいは型）を使用しなければならないし、成形後には枠を剥がす作業をしなければならないので煩わしい。また、成形樹脂を注入する際、保護回路基板と電池本体との間に成形樹脂が均等に充填されないこともあり、特に、補強構造が複雑に形成される場合、保護回路と電池本体との間に成形樹脂を均等に充填することはより難しくなる。
【００２１】
一方、成形樹脂を電池本体と保護回路基板との間に注入して、モールディングする場合、端子の接続部、保護回路基板、及びＰＣＴ等が成形樹脂に没入されてしまうため、安全装置等を単位セルから分離することは実際には不可能である。従って、電池本体が廃棄される際、取り付けられた安全装置等も廃棄されなければならなかった。
【発明の開示】
【発明が解決しようとする課題】
【００２２】
本発明は、上述の従来のパック型二次電池の問題点を解決するためのものであって、電池本体と保護回路基板等の安全装置とを安定的に、かつ、容易に結合させることができる構成を有する二次電池を提供することを目的とする。
【００２３】
また、本発明は、従来のパック型二次電池において、成形樹脂作業の煩わしさと成形樹脂が保護回路基板と電池本体との間に均等に充填されず、保護回路基板と電池本体との間の付着力が弱まるという問題を発生させない構成を有する二次電池を提供することを他の目的とする。
【００２４】
さらに、本発明は、電池本体が廃棄される場合にも、これに取り付けられた安全装置を回収して使用することができる構成を有する二次電池を提供することをまた他の目的とする。
【課題を解決するための手段】
【００２５】
前記目的の達成のための本発明は、電池本体と安全装置とが結合されてなる二次電池において、保護回路基板等の安全装置は、成形樹脂やケースにより固定されて電池部品部を形成し、電池部品部と電池本体の外面のうちの、これらが互いに結合する結合面には各々これらを機械的に結合させる結合手段が形成されることを特徴とする。
【００２６】
また、本発明において、保護回路基板等の安全装置を含む電池部品部の結合面と電池本体との結合面には、結合手段の他に電気端子、あるいは、結合手段と共に電気端子が形成されることが一般的である。特に、少なくとも一部の結合手段は電池本体と安全装置との機械的結合手段として作用すると共に、電気接続のための電気端子の役割をするようになされることが二次電池構造の簡便化のために望ましい。
【００２７】
さらに、本発明において、電池本体と安全装置を含む電池部品部との間の電気的接続手段と機械的結合手段とが兼ねられる場合において、電池本体と電池部品部との結合が溶接等の永久的な結合でなく、脱着可能な結合である場合、仮に、電池本体の寿命が尽きても、電池本体で電池部品部だけを切替えて使用することができるので望ましい。
【発明の効果】
【００２８】
本発明によると、保護回路基板及びバイメタル等の安定装置を電池本体に安定的に、かつ、比較的簡単な操作で結合させることができる。
【００２９】
また、本発明によると、安全装置を含む電池部品部と電池本体との機械的結合部を、破損することなく分離させることができるので、電池本体が廃棄されるべき場合にも、保護回路等の安全装置を分離して再使用することができ、二次電池の単価を抑えることができる。
【００３０】
さらに、本発明によると、従来のパック型電池で成形樹脂をモールディングする中で、安全弁の周辺を保護する問題、樹脂の均等な充填の問題の発生を根本的に取り除くことができる。
【発明を実施するための最良の形態】
【００３１】
以下、図面を参照しながら実施の形態を通じて本発明をより詳しく説明する。なお、図中の同様の部材には同じ符号を用いた。
【００３２】
図３及び図５は、本発明に係る二次電池の実施の形態における電池部品部と電池本体との上部構造を概略的に示す断面図であり、図４は、図３と同様の実施の形態において、電池部品部と電池本体との結合構造を分離させる例を示す説明図である。
【００３３】
（第１の実施の形態）
図３を参照すれば、二次電池は、電池部品部２０と電池本体１００とを備えてなる。単位セル１００の内部構造は、従来の技術と変わらないため説明は省略する。電池部品部２０は、安全装置であるところの保護回路基板２１及びバイメタル２３を含み、単位セル１００と結合される。電池部品部２０と単位セル１００とが互いに結合する結合面には、電池部品部２０と単位セル１００とを機械的に結合させる結合手段である雄型機械的結合部２５，２７及び雌型機械的結合部５０が各々形成される。
【００３４】
電池部品部２０は、保護回路基板２１の一端子（電気端子）とバイメタル２３の一端子（電気端子）とが直列に連結され、これらが連結された状態でこれらを囲むように成形樹脂２４がモールディングされることによりなる。本発明のように、モールディングで電池部品部２０を形成する場合には、電池部品部２０は電池本体１００を含む二次電池の全体に比べて遥かに小型であるから、鋳型の生産管理が容易になり、モールディング作業が簡略化される。また、従来のように、保護回路基板と電池本体との間に成形樹脂を注入する場合に比べて、キャッププレート１１０の安全弁（不図示）を考慮しなければならない制約がなくなる。さらに、成形樹脂の付着強度を強めるための部品等の変形構造や様々な部品により、保護回路基板と電池本体との間に成形樹脂が均等に充填されない問題が解消する。
【００３５】
本実施の形態では、電池部品部２０は、成形樹脂がモールディングされることによりなる。しかし、場合によっては、樹脂または金属部品を用いて保護回路基板２１及びバイメタル２３等を含むように結合させた組立体からなることができる。
【００３６】
保護回路基板２１とバイメタル２３との間で直列に連結されていない保護回路基板の他端子（電気端子）とバイメタルの他端子（電気端子）とは、各々電池部品部２０の下面で雄型機械的結合部２５，２７のうちの１つの雄型機械的結合部２５、または負極連結部２６と連結される。従って、保護回路基板２１の前記端子と連結された雄型機械的結合部２５は、電気的結合部としての役割も果たす。言い換えれば、雄型機械的結合部２５は、前記安全装置の電気端子を兼ねる。
【００３７】
電池本体１００の側面の中で、通常、最小の面積を占める直方型キャッププレート１１０面の長辺方向の両側には、電池部品部２０の雄型機械的結合部２５，２７と機械的に接続される雌型機械的結合部５０が形成される。雌型機械的結合部５０は、キャッププレート１１０とレーザ溶接等の方法により結合することができ、結合の機械的強度が維持されるようにする。キャッププレート１１０の中央には、電池本体１００の負極端子１３０が電池本体の他の部分と絶縁された状態で突出して形成される。
【００３８】
雄型機械的結合部２５，２７は、一部が電池部品部２０の合成樹脂２４に挿入されて、機械的強度を有するように電池部品部２０に結合されることが望ましい。雄型機械的結合部２５，２７の電池本体１００と結合する側の終端には、つば部２５１，２７１が形成される。雌型機械的結合部５０は、導入部に傾斜を有するＶネック（Ｖ  ｎｅｃｋ）状の押え部５１が形成される押えバネである。電池部品部２０が電池本体１００に結合するために、雄型機械的結合部２５，２７が挿入される際には、押え部５１は弾性的に入口が広がりながら、つば部２５１，２７１を受容れることができる。雄型機械的結合部２５，２７が抜ける時には、押え部５１には傾斜部がないので押え部５１につば部２５１，２７１が掛かるので、一旦、結合した電池部品部２０と電池本体１００とは容易に分離されない。一方、雄型機械的結合部２５，２７と雌型機械的結合部５０とは各々電池部品部２０と電池本体１００とに十分な強度で固定されている。これによって、電池部品部２０の保護回路基板２１及びバイメタル２３と、電池本体１００とは電気的に安定的に結合する。
【００３９】
一方、電池部品部２０において、バイメタル２３の一端子（電気端子）が連結された負極連結部２６は、単位セル１００に向かって膨らんでいる板バネからなって、電池本体１００と電池部品部２０との機械的結合部２５，２７，５０が締結された状態では、前記板バネが電池本体１００の負極端子１３０に触れて変形しながら、負極端子１３０に広く接触した状態を維持することになる。なお、負極も正極と同様に、機械的結合構造を形成して締結後の分離を防止するように形成されることもできる。
【００４０】
このような実施の形態によれば、二次電池において、保護回路基板２１等の安全装置を、電池本体１００に安定的に結合させることができる。一方、電池部品部２０と電池本体１００との結合は、永久的な結合ではなく着脱可能な結合である。このことは、電池本体１００が充放電サイクルを繰返して、電池としての寿命が経過する等の理由により廃棄されなければならない際、電池部品部２０は電池本体１００から分離されて、他の電池本体に結合されて再使用できることを意味する。
【００４１】
仮に、図３に示すような機械的結合構造により、電池本体１００に締結された電池部品部２０を一定以上の強い力で引くと、雌型機械的結合部５０の押え部５１は弾性を無くして、図４に示すように塑性変形されることにより隙間ができる。したがって、雄型機械的結合部２５は雌型機械的結合部５０から離脱されて、電池部品部２０が電池本体１００から分離される。電池本体１００の雌型機械的結合部５０は再度使われることができなくても、電池本体１００自体が廃棄されなければならないので問題はない。このため、雌型機械的結合部５０が電池本体１００に結合された強度、あるいは、雌型機械的結合部５０の塑性変形に対する抵抗力より、雄型機械的結合部２５が電池部品部２０に結合した強度の方が大きくなるようにする。なお、前述の一定以上の強い力とは、前述の雌型機械的結合部５０の塑性変形に対する抵抗力より大きい力を意味する。
【００４２】
このような実施の形態を用いると、二次電池のコストを抑えて、需要を増大させることができる。即ち、通常、保護回路基板、ＰＣＴ素子、及びバイメタル等の安全装置は、電池部品の価格のかなりの部分を占めるので、廃棄予定の二次電池から電池部品部を再生使用することにより、二次電池の単価を抑えることができるのである。
【００４３】
（第２の実施の形態）
第１の実施の形態では、機械的結合部が電気的結合部としての役割を兼ねる場合について述べた。本実施の形態では、機械的結合部とは別に電気的結合部が形成される場合について述べる。
【００４４】
図５を参照すると、二次電池は電池部品部２０と電池本体１００とを備えてなる。電池部品部２０は保護回路基板２１の一端子（電気端子）とバイメタル２３の一端子（電気端子）とが直列に連結され、これらが連結された状態でこれらを囲むように成形樹脂２４がモールディングされることによりなる。なお、成形樹脂２４の代わりに、樹脂または金属部品を用いる組立体からなることも可能である。
【００４５】
直列に連結されていない保護回路基板２１の他端子（電気端子）とバイメタル２３の他端子（電気端子）とは、各々電池部品部２０の下面から接続リード２８，２９に引出されるように形成される。前記端子は各々電池本体１００のキャッププレート１１０の一部（正極端子）及び負極端子１３０と溶接等の方法により電気的に接続される。
【００４６】
電池部品部２０の下面には前記端子と別に雄型機械的結合部（結合手段）２５，２７が形成される。雄型機械的結合部２５，２７は電気端子の役割を果たさないので、金属の他に合成樹脂やセラミックなどでも形成されることができる。雄型機械的結合部２５，２７は電池部品部２０と高強度で結合するために、一部が電池部品部２０の合成樹脂２４に挿入されるように形成され、あるいは、モールディングの一部にて形成されることができる。
【００４７】
電池部品部２０の下面と結合する電池本体１００のキャッププレート１１０面には、雄型機械的結合部２５，２７と対応する位置に、雄型機械的結合部２５，２７と機械的に接続されるように、単位セル１００の正極及び負極端子１１０，１３０とは別に雌型機械的結合部５０が形成される。雌型機械的結合部５０も金属の他のセラミック、合成樹脂等により形成されることができる。しかし、キャッププレート１１０との溶接性及び溶接強度、締結に必要な弾性等を考慮すると、金属からなることが望ましい。
【００４８】
結合手段である雄型機械的結合部２５，２７と雌型機械的結合部５０とは、各々図３の実施の形態と同様に形成される。即ち、雄型機械的結合部２５，２７は、雄型機械的結合部５０の電池本体１００と結合する側の終端につば部２５１，２７１が形成される。雌型機械的結合部５０には導入部に傾斜を有する押え部５１が形成される。但し、本発明での機械的結合の形態が、図３及び図５に示されるような実施の形態に限定されるものではない。
【００４９】
溶接の便宜性のために、電池部品部２０の下面から引出される接続リード２８，２９は、単位セル１００に電池部品部２０が取り付けられる際の単位セル１００と電池部品部２０との距離よりも長く形成され、これらの接続リード２８，２９の一部は、折曲されて容易に折り重なるように一定の間隔で折曲線２８１，２９１が形成される。従って、安全装置の電気端子である接続リード２８，２９が各々キャッププレート１１０の一部（正極端子）及び負極端子１３０に溶接された後、機械的結合部などを締結させるために電池部品部２０の下面と電池本体１００のキャッププレート１１０面とを接近させれば、接続リード２８，２９らは折曲線２８１，２９１で折曲されて一部が折り重なる。従って、単位セル１００と電池部品部２０との距離よりも長く形成された接続リード２８，２９が電池外側から突出したり、他の電極端子と電気的短絡を起こしたりすることが防止できる。
【００５０】
一方、接続リードが折り重なった部分は、その厚さによって電池本体１００と電池部品部２０との機械的結合を妨害することがあるので、電池部品部２０の樹脂成形された底面には、折り重なった接続リードが受容れられるように、接続リード２８，２９が引出された部分の周りに溝２８３を形成することが望ましい。
【００５１】
本実施の形態では、電池部品部２０の接続リード２８，２９と電池本体１００の電極端子１３０，１１０とが溶接により連結されるので、抵抗が低く、電気接続が確実になる長所がある。また、この場合にも、電池部品部２０と電池本体１００との機械的結合構造を解き、接続リード２８，２９の溶接部を切断すれば、電池部品部２０を他の電池本体と結合させて再使用することもできる。
【００５２】
以上のとおり、第１及び第２の実施の形態において、電池部品部と単位セルとの機械的及び電気的な結合方法について述べた。一方、本発明を適用する場合にも、二次電池が製造業体別に、製品モデル別に、その製造に使われる要素の構成物質、形態、及び大きさ等は、通常、異なるということを考慮しなければならない。これらの様々な要因によって、適正な安全装置の設計は変わるべきであるので、二次電池の電池本体の特性が統一されない限り、電池部品部の安全装置は、電池部品部が結合する電池本体の特性に適合するものが使われなければならない。
【００５３】
電池部品部が再生される場合、電池部品部がそれに適合しない電池本体と結合する可能性があるので、これを防止するための構成がなされることが望ましい。このような構成は、電池本体と電池部品部との機械的結合部の位置、大きさ、及び個数等を、電池本体の容量や特性別に区分して、異なるように形成する、いわゆる「認識構造」を形成する方法からなることができる。前記認識構造は、電気部品部と電池本体との結合面に互いに対応する凹凸部を生成することによっても可能である。
【００５４】
このような認識構造を電池本体の特性別に形成すれば、電池本体の充放電時に適合しない安全装置を採用することにより発生する危険が防止できる。たとえば、製品モデル、あるいは、他の会社の製品でも電池本体の特性が一定の範囲で同じであれば電池部品部を共同に使用するようにして、限定された範囲だけでも、互換性を高めることができるので望ましい。
【図面の簡単な説明】
【００５５】
【図１】成形樹脂により結合する前段階にある従来のリチウムイオンパック型電池の一例についての概略的分解斜視図である。
【図２】成形樹脂により結合した状態の従来のリチウムイオンパック型電池を示す斜視図である。
【図３】本発明に係る二次電池の第１の実施の形態における電池部品部と電池本体との上部構造を概略的に示す断面図である。
【図４】図３のような実施の形態において、電池部品部と電池本体との結合構造を分離させる例を示す説明図である。
【図５】本発明に係る二次電池の第２の実施の形態における電池部品部と単位セルとの上部構造を概略的に示す断面図である。
【符号の説明】
【００５６】
２０    電池部品部、
２１，３０    保護回路基板、
２２，３１，３２    外部入出力端子、
２３    バイメタル、
２４    成形樹脂、
２５，２７    雄型機械的接続部、
２５１，２７１    つば部、
２６    負極連結部、
２８，２９，４１，４２    接続リード、
２８１，２９１    折曲線、
５０    雌型機械的結合部、
５１    押え部、
３５    回路部、
３６，３７    接続端子、
４３    絶縁プレート、
１００    電池本体、
１１０    キャッププレート、
１１１    正極端子、
１３０    負極端子、
２８３    溝。
【図１】
2005203366.tif 000003
【図２】
2005203366.tif 000004
【図３】
2005203366.tif 000005
【図４】
2005203366.tif 000006
【図５】
2005203366.tif 000007